(57)【要約】【課題】  開封性及び封緘性に優れ、易転動物品を台紙の所定位置に保持させて製造できるスキンパック包装体を提供する。【解決手段】  本発明のスキンパック包装体は、台紙２と、転動胴部を有する易転動物品３１と、スキンパックフィルム４と、を有し、前記易転動物品３１が台紙２とスキンパックフィルム４の間に保持されているスキンパック包装体において、前記台紙２には、切断線５，６が形成されており、前記切断線５，６が、両端部５ａ，５ｂ，６ａ，６ｂを有し且つその両端部から前記転動胴部の転動軸Ｌに略直交する方向の何れか一方側に膨らんだ平面視形状に形成され、前記切断線５，６の両端部を結んだ仮想直線Ｍと切断線５，６とによって囲われる領域の全部又一部が、前記転動胴部の平面投影形状に重なっている。【選択図】  図６
2014001000.tif 000002
【特許請求の範囲】
【請求項１】
台紙と、転動胴部を有する易転動物品と、スキンパックフィルムと、を有し、前記易転動物品が台紙とスキンパックフィルムの間に保持されているスキンパック包装体において、
前記台紙には、切断線が形成されており、
前記切断線が、両端部を有し且つその両端部から前記転動胴部の転動軸に略直交する方向の何れか一方側に膨らんだ平面視形状に形成され、
前記切断線の両端部を結んだ仮想直線と切断線とによって囲われる領域の全部又一部が、前記転動胴部の平面投影形状に重なっている、スキンパック包装体。
【請求項２】
前記台紙には、前記仮想直線上の全部又は一部に略沿って、折り罫線が形成されている、請求項１に記載のスキンパック包装体。
【請求項３】
前記切断線が、前記転動軸を基準にして、転動軸に略直交する方向の第１側と第２側にそれぞれ設けられている、請求項１または２に記載のスキンパック包装体。
【請求項４】
前記第１側の切断線と第２側の切断線が、転動軸に対して線対称に形成されている、請求項３に記載のスキンパック包装体。
【請求項５】
台紙と、少なくとも２つの被包装物と、スキンパックフィルムと、を有し、前記被包装物が台紙とスキンパックフィルムの間に保持されているスキンパック包装体において、
前記被包装物が、転動胴部を有する易転動物品と難転動物品とを含み、
前記易転動物品の転動胴部と難転動物品が接するように、前記転動胴部の転動軸に略直交する方向の第１側に難転動物品が配置されており、
前記台紙には、両端部を有し且つその両端部から前記転動胴部の転動軸に略直交する方向の何れか一方側に膨らんだ平面視形状を有する切断線が形成されており、
前記切断線が、前記転動軸を基準にして前記転動軸に略直交する方向の第２側に配置され、
前記切断線の両端部を結んだ仮想直線と切断線とによって囲われる領域の全部又一部が、前記転動胴部の平面投影形状に重なっている、スキンパック包装体。
【請求項６】
前記切断線が、前記転動胴部の平面投影形状の、転動軸方向一方側の辺に沿う部分又はその辺の外近傍に延びる部分を有する、請求項１〜５のいずれか一項に記載のスキンパック包装体。
【発明の詳細な説明】
【技術分野】
【０００１】
本発明は、スキンパックフィルムと台紙の間で易転動物品が保持されたスキンパック包装体に関する。
【背景技術】
【０００２】
スキンパック包装体は、台紙と、台紙の表面に載せられた被包装物と、その被包装物を含んで台紙の表面に接着されたスキンパックフィルムと、からなる。
かかるスキンパック包装体は、厚紙製の台紙の表面に被包装物を載せ、その上から軟化させたスキンパックフィルムを被せ、台紙の裏面側からスキンパックフィルムを吸引することにより製造できる（特許文献１）。
スキンパックフィルムを用いれば、コンパクト且つ安価に被包装物を包装できる。
【０００３】
しかしながら、スキンパックフィルムは伸び易くて切れにくいフィルムであるため、スキンパック包装体は、手では容易に開封できないという問題点がある。
さらに、スキンパック包装体を製造する際、台紙の所定位置に載せた被包装物が位置ずれするという問題点もある。特に、被包装物が、水平面に対して転動し得る形状を有する易転動物品である場合、台紙の所定位置に被包装物を載せても、スキンパックフィルムを台紙に接着する際に、その位置から簡単にずれてしまう。
【０００４】
特許文献２には、台紙に設けた切込み部を支持片として起立させ、この起立させた一対の支持片の間にて乾電池等の被包装物を挟持した状態でスキンパックフィルムを接着させた包装体が開示されている。
【０００５】
特許文献２のスキンパック包装体においては、支持片の間に被包装物を挟持しているので、スキンパックフィルムを接着する際に、被包装物の位置ずれを防止できる。
しかしながら、特許文献２のスキンパック包装体は、その台紙の面内に、支持片の形状に対応する開口部が存在するので、その開口部から異物が入り込んで被包装物が汚染されることがある。
【先行技術文献】
【特許文献】
【０００６】
【特許文献１】実開昭６２−７６１６５号公報
【特許文献２】実開昭６０−８４５５１号公報
【発明の概要】
【発明が解決しようとする課題】
【０００７】
本発明の目的は、製造時には被包装物を台紙の所定位置に保持でき、開封し易いだけでなく、封緘性にも優れたスキンパック包装体を提供することである。
【課題を解決するための手段】
【０００８】
本発明の第１のスキンパック包装体は、台紙と、転動胴部を有する易転動物品と、スキンパックフィルムと、を有し、前記易転動物品が台紙とスキンパックフィルムの間に保持されているスキンパック包装体において、前記台紙には、切断線が形成されており、前記切断線が、両端部を有し且つその両端部から前記転動胴部の転動軸に略直交する方向の何れか一方側に膨らんだ平面視形状に形成され、前記切断線の両端部を結んだ仮想直線と切断線とによって囲われる領域の全部又一部が、前記転動胴部の平面投影形状に重なっている。
【０００９】
本発明の第１のスキンパック包装体は、従来のように支持片を起立させることによって生じる開口部を有さないので、封緘性に優れており、スキンパックフィルムと台紙の間に保持された易転動物品（被包装物）に異物などが付着し難い。
さらに、第１のスキンパック包装体は、平板状の台紙の面内に切断線が形成されているので、その切断線を利用して台紙を破断することにより、容易に開封できる。
また、製造時には、切断線で囲われる領域を傾斜状に立ち上げることにより、易転動物品を所定位置に保持できるので、台紙の所定位置に易転動物品（被包装物）が保持されたスキンパック包装体を容易に得ることができる。
【００１０】
本発明の好ましいスキンパック包装体は、前記台紙には、前記仮想直線上の全部又は一部に略沿って、折り罫線が形成されている。
このように折り罫線が形成されていることにより、製造時、切断線で囲われる領域を立ち上げ易くなる。
【００１１】
本発明の好ましいスキンパック包装体は、前記切断線が、前記転動軸を基準にして、転動軸に略直交する方向の第１側と第２側にそれぞれ設けられている。例えば、前記第１側の切断線と第２側の切断線は、転動軸に対して線対称に形成される。
【００１２】
本発明の第２のスキンパック包装体は、台紙と、少なくとも２つの被包装物と、スキンパックフィルムと、を有し、前記被包装物が台紙とスキンパックフィルムの間に保持されており、前記被包装物が、転動胴部を有する易転動物品と難転動物品とを含み、前記易転動物品の転動胴部と難転動物品が接するように、前記転動胴部の転動軸に略直交する方向の第１側に難転動物品が配置されており、前記台紙には、両端部を有し且つその両端部から前記転動胴部の転動軸に略直交する方向の何れか一方側に膨らんだ平面視形状を有する切断線が形成されており、前記切断線が、前記転動軸を基準にして前記転動軸に略直交する方向の第２側に配置され、前記切断線の両端部を結んだ仮想直線と切断線とによって囲われる領域の全部又一部が、前記転動胴部の平面投影形状に重なっている。
【００１３】
本発明の第２のスキンパック包装体も、従来のように支持片を起立させることによって生じる開口部を有さないので、上記第１のスキンパック包装体と同様に、封緘性に優れており、さらに、切断線を利用して台紙を破断することにより、容易に開封できる。
また、製造時には、切断線で囲われる領域を傾斜状に立ち上げ、この領域と難転動物品の協働により、易転動物品を所定位置に保持できるので、台紙の所定位置に易転動物品及び難転動物品（被包装物）が保持されたスキンパック包装体を容易に得ることができる。
【００１４】
本発明の好ましいスキンパック包装体は、前記切断線が、前記転動胴部の平面投影形状の、転動軸方向一方側の辺に沿う部分又はその辺の外近傍に沿う部分を有する。
かかるスキンパック包装体は、易転動物品を台紙側へ押すことによって、切断線に従い台紙が容易に破断するので、より開封性に優れている。
【発明の効果】
【００１５】
本発明のスキンパック包装体は、被包装物の封緘性に優れている一方で、開封し易いという特徴を有する。
また、本発明のスキンパック包装体は、被包装物を台紙の所定位置に保持できるので、簡易に製造できる。
【図面の簡単な説明】
【００１６】
【図１】第１実施形態に係るスキンパック包装体の正面図。
【図２】同スキンパック包装体の背面図。
【図３】図１のＩＩＩ−ＩＩＩ線で切断した断面図。
【図４】図１のＩＶ−ＩＶ線で切断した断面図。
【図５】図１のＶ−Ｖ線で切断した断面図。
【図６】台紙の切断線と易転動物品の位置関係を判りやすく示した拡大背面図。
【図７】スキンパック包装体を開封して被包装物を取り出すときの参考断面図（図１のＩＩＩ−ＩＩＩ線と同様の箇所で切断）。
【図８】スキンパック包装体の製造時に使用される台紙を表面側から見た平面図。
【図９】同台紙の一部を折り曲げて保持凹部を形成した後の台紙の平面図。
【図１０】図９のＸ−Ｘ線断面図。
【図１１】同台紙の保持凹部に易転動物品を載置した状態の平面図。
【図１２】図１１のＸＩＩ−ＸＩＩ線拡大断面図。
【図１３】スキンパックフィルムを加熱する際の参考側面図。
【図１４】被包装物を載置した台紙の表面に軟化させたスキンパックフィルムを被せた状態の平面図。
【図１５】図１４のＸＶ−ＸＶ線断面図。
【図１６】スキンパックフィルムを吸引してこれを台紙に接着させることにより得られる連続体の断面図。
【図１７】同連続体から個々のスキンパック包装体を切り取るときの平面図。
【図１８】第２実施形態に係るスキンパック包装体において、台紙の切断線と易転動物品の位置関係を判りやすく示した拡大背面図。
【図１９】第２実施形態のスキンパック包装体の製造時、台紙の保持凹部に易転動物品を載置した状態の断面図。
【図２０】第２実施形態の変形例に係るスキンパック包装体において、台紙の切断線と易転動物品の位置関係を判りやすく示した拡大背面図。
【図２１】第２実施形態の変形例のスキンパック包装体の製造時、台紙の保持凹部に易転動物品を載置した状態の断面図。
【図２２】第３実施形態に係るスキンパック包装体において、台紙の切断線と易転動物品の位置関係を判りやすく示した拡大背面図。
【図２３】第３実施形態のスキンパック包装体の製造時、台紙の保持凹部に易転動物品を載置した状態の断面図。
【図２４】第４実施形態に係るスキンパック包装体において、様々な平面視形状を有する切断線と易転動物品の位置関係を判りやすく示した背面図。
【図２５】第５実施形態に係るスキンパック包装体において、様々な平面視形状を有する切断線と易転動物品の位置関係を判りやすく示した背面図。
【図２６】第６実施形態に係るスキンパック包装体の正面図。
【図２７】同スキンパック包装体の背面図。
【図２８】図２６のＸＸＶＩＩＩ−ＸＸＶＩＩＩ線で切断した断面図。
【図２９】第６実施形態のスキンパック包装体の製造時に、台紙に難転動物品と易転動物品を載置した状態の断面図。
【発明を実施するための形態】
【００１７】
以下、本発明の具体的な実施態様について適宜図面を参照しつつ説明する。
各部の用語の前に、「第１」、「第２」などを付す場合があるが、この語は、用語を区別するために付加されたものであり、各部の優劣や順序などを意味しない。また、ある部材の「表面」は、スキンパック包装体を図１に示す正面（スキンパックフィルムの面を直視する方向）から見たときに、手前側（看者に近い側）にある面を指し、ある部材の「裏面」は、その反対側の面を指す。平面視の形状は、台紙の表面又は裏面に対して鉛直方向から見たときの形状である。
また、「ＰＰＰ〜ＱＱＱ」という記載は、「ＰＰＰ以上ＱＱＱ以下」を意味する。
さらに、本発明において、「台紙」は、スキンパックと協働して被包装物を保持する部材であり、台紙の「紙」は、「台紙が紙製である」という限定的な意味を有するわけではない。
なお、各図の具体的な寸法及び縮尺比は、実際のものとは異なっていることに留意されたい。
【００１８】
［第１実施形態のスキンパック包装体］
図１乃至図６において、スキンパック包装体１は、台紙２と、被包装物である易転動物品３１と、台紙２と協働して易転動物品３１を保持するスキンパックフィルム４と、を有する。
台紙２の面内には、切断線５，６が形成されている。切断線５，６は、台紙２の厚み方向に貫通し且つ台紙２を面内で分断する切込み線である。台紙２は、平板状である。
スキンパックフィルム４は、易転動物品３１に被さり且つ台紙２に接着していない部分と、前記易転動物品３１に被さらず且つ切断線５，６が形成された範囲を含んで前記台紙２に接着している部分と、を有する。
【００１９】
具体的には、スキンパックフィルム４の裏面は、易転動物品３１が介在する部分において易転動物品３１にほぼ密着しており、その部分においては台紙２に接着しておらず、一方、易転動物品３１が介在しない部分において台紙２に接着している。ただし、スキンパックフィルム４の性質上、スキンパックフィルム４は、易転動物品３１の全体に密着しているわけではなく、（易転動物品３１の形状にも影響されるが）台紙２に面している部分を除く易転動物品３１の外形に沿ってほぼ密着している。
【００２０】
図示例のスキンパック包装体１は、スキンパックフィルム４と台紙２によって易転動物品３１を隙間無く密封包装したものである。
易転動物品３１は、台紙２のほぼ中央部に配置される他、台紙２の何れかの辺側に寄って配置されていてもよい。さらに、１つのスキンパック包装体１に、複数の易転動物品３１が包装されていてもよい。
【００２１】
易転動物品３１は、水平面に対して転動し得る転動胴部を有する物品である。
易転動物品３１は、例えば、平坦面を有するアクリル板を水平面に対して１０度傾けて配置し、この傾斜したアクリル板の平坦面の傾斜上側から傾斜下側に１周以上回転しながら転動する物品をいう。
転動胴部は、その重心を通る軸Ｌ（転動軸）を中心にして転動する転動周面を有する。易転動物品３１は、代表的には、転動胴部を水平面に載せて転がしたときに、転動軸Ｌと水平面の長さが一定である転動胴部を有する物品が挙げられる。
【００２２】
このような易転動物品３１としては、円柱状の転動胴部を有する物品；円錐台状の転動胴部を有する物品；略瓢箪形状の転動胴部を有する物品；円柱状又は円錐台状の転動胴部の天面及び／又は底面から、その天面又は底面よりも小さい凸部が突設されている物品；円錐状の転動物品の底面から、その底面よりも小さい凸部が突設されている物品；などが例示できる。
このような物品の種類としては、特に限定されず、化粧品、生活雑貨、文房具、医薬部外品、医薬品などが挙げられる。
【００２３】
図示例の易転動物品３１は、円柱状の転動胴部のみからなる。つまり、図示例の易転動物品３１は、その外形が円柱状である。
この転動胴部（易転動物品３１）の天面３１ａは、その易転動物品３１の転動軸方向一方側の面であり、転動胴部の底面３１ｂは、転動軸方向他方側の面である。
この易転動物品３１は、円柱状の転動周面が水平面上を転がって動く。
【００２４】
スキンパックフィルム４は、台紙２の表面に強固に接着可能なフィルムであることを条件として、従来公知のフィルムを用いることができる。スキンパックフィルム４は、通常、無色透明又は有色透明の単層又は複層の樹脂フィルムが用いられる。スキンパックフィルム４の材質としては、例えば、ポリエチレン、ポリプロピレンなどのポリオレフィン系樹脂；ポリエチレンテレフタレートなどのポリエステル系樹脂；ナイロンなどのポリアミド系樹脂；エチレン−酢酸ビニル共重合体；軟質塩化ビニル；などの熱可塑性樹脂が挙げられる。なお、フィルムは、一般にシートと呼ばれるものを含む。
スキンパックフィルム４の厚みは、特に限定されず、例えば、３０μｍ〜３００μｍ、好ましくは、６０μｍ〜２００μｍである。
【００２５】
台紙２は、可撓性を有する平板状の枚葉体であり、例えば、その厚み方向に通気性を有する枚葉体が用いられる。
台紙２の形成材料は特に限定されず、厚紙、普通紙、コート紙、不織布、合成紙、合成樹脂シート、発泡樹脂シートなどの単層シート、及びこれらの２以上のシートが積層接着された積層シートなどの各種シート材を用いることができる。なお、シートは、一般にフィルムと呼ばれるものを含む。
前記合成樹脂シートや発泡樹脂シートの材質は、特に限定されず、例えば、ポリエチレン、ポリプロピレンなどのポリオレフィン系、ポリエチレンテレフタレートなどのポリエステル系、ナイロンなどのポリアミド系などが挙げられる。
【００２６】
台紙２が普通紙やコート紙などの紙又は不織布で形成されている場合、その目付量は、例えば、２０ｇ／ｍ２〜６００ｇ／ｍ２であり、好ましくは、１００ｇ／ｍ２〜５００ｇ／ｍ２である。
台紙２が合成紙、合成樹脂シート又は発泡樹脂シートで形成されている場合、その厚みは、例えば、８０μｍ〜８００μｍであり、好ましくは、１００μｍ〜５００μｍである。
台紙２の目付量又は厚みが小さすぎると、スキンパック包装体１の製造時に台紙２の一部を曲げて保持凹部を形成しても、その保持凹部の形状を台紙自身が維持できないおそれがある。他方、台紙２の目付量又は厚みが大きすぎると、材料コストが高くなる。
【００２７】
厚紙、普通紙、コート紙又は不織布及びこれらの積層体からなる台紙２は、その材質上、厚み方向に通気性を有する。厚み方向に通気性を有するとは、台紙２の裏面から空気を吸引したときに、台紙２の表面側から裏面側に空気が移動しうることをいう。
一方、合成紙、合成樹脂シート又は発泡樹脂シート及びこれらの積層体からなる台紙２は、その材質上、厚み方向に通気性を有さない場合が多い。このような形成材料を用いる場合には、台紙２の面内に、厚み方向に貫通する貫通孔を複数形成しておくことが好ましい。このように複数の貫通孔を台紙２全体に渡って形成しておくことにより、台紙２の面全体から空気を吸引できる。
前記貫通孔としては、肉眼で視認できないほどの微細な孔、肉眼で視認できる比較的小さな孔、又は、周知のミシン目線などが挙げられる。なお、前記厚紙などのように、形成材料自体が厚み方向に通気性を有する台紙２においても、必要に応じて、前記貫通孔を形成してもよい。
【００２８】
もっとも、台紙２に切断線５，６が形成されている本発明のスキンパック包装体１にあっては、切断線５，６の形成により生じている切断端面間において空気が通過し得るので、材質的に通気性を有さない台紙２であっても、前記貫通孔を形成しなければならないわけではない。
【００２９】
また、台紙２の表面には、スキンパックフィルム４を接着させるために、熱によって接着性が発現する接着剤又はヒートシール性樹脂剤（図示せず）が塗布されている。もっとも、台紙２の表面に自己接着し得る材質からなるスキンパックフィルム４を用いた場合、又は、台紙２の表面に接着する接着剤（例えば、感熱接着剤など）が塗布されたスキンパックフィルム４を用いた場合には、前記台紙２の表面に接着剤などが塗布されていなくてもよい。
さらに、台紙２の表面及び／又は裏面には、必要に応じて、所望のデザインが施されている。
【００３０】
台紙２には、本発明の特徴部分である、切断線５，６が形成されている。
本実施形態では、切断線５，６は、２つ形成されている。以下、一方の切断線５を、「第１切断線」といい、他方の切断線６を、「第２切断線６」といい、総括した用語として「切断線」という。
台紙２に切断線５，６が形成されていることよって、平板状の台紙２の面内には、それぞれの切断線５，６を境界にして２つの切断端面が向かい合っているが、この２つの切断端面同士は、接している又は近接している。なお、前記近接は、２つの切断端面間の間隔が１ｍｍ以下であり、好ましくは０．５ｍｍ以下である。前記２つの切断端面の間隔が離れすぎていると、被包装物の封緘性が低下するが、両切断端面が接する又は近接していれば、切断端面間からスキンパックフィルム４の裏面側に異物が侵入することを防止できる。
【００３１】
第１切断線５の全体の平面視形状は、両端部５ａ，５ｂを有する非直線状に形成されている。第２切断線６の全体の平面視形状も、両端部６ａ，６ｂを有する非直線状に形成されている。
切断線の両端部は、切断線の一端部と切断線の他端部の総称である。図６に示すように、非直線状の第１切断線５及び第２切断線６は、その両端部５ａ，５ｂ，６ａ，６ｂを結んだ仮想直線Ｍよりも、転動胴部の転動軸Ｌに略直交する方向の何れか一方側に膨らんだ平面視形状に形成されている。第１切断線５の両端部５ａ，５ｂを結んだ仮想直線Ｍ及び第２切断線６の両端部６ａ，６ｂを結んだ仮想直線Ｍは、何れも転動軸Ｌと平行である。
なお、前記仮想直線Ｍは、実際には存在しないが、切断線の両端部を直線で結んで観念される線である。
図６において、仮想直線Ｍを一点鎖線で示し、転動胴部の転動軸Ｌを二点鎖線で示している（以下、他の図についても同様）。また、転動軸Ｌに略直交する方向は、転動軸Ｌと略直交し且つ台紙２の表面と平行な方向である。以下、転動軸Ｌに略直交する方向を、「幅方向」という。
【００３２】
前記切断線５，６は、前記仮想直線Ｍと切断線５，６とによって囲われる領域の全部又一部が、前記転動胴部の平面投影形状に重なるように、形成されている。
本実施形態では、第１切断線５は、図６に示すように、仮想直線Ｍと第１切断線５とによって囲われる領域の一部が転動胴部の平面投影形状に重なるように形成されている。
第２切断線６も同様に、仮想直線Ｍと第２切断線６とによって囲われる領域の一部が転動胴部の平面投影形状に重なるように形成されている。
以下、仮想直線と切断線とによって囲われる領域を、「囲繞領域」という。
【００３３】
前記平面投影形状は、易転動物品３１を台紙２の表面に置いた状態で、台紙２の表面に対して鉛直方向から平行光線を当てたときに、台紙２の表面に映る影形状である。
例えば、易転動物品３１の転動胴部が円柱状である場合、その平面投影形状は長方形状又は正方形状であり、転動胴部が円錐台状である場合、その平面投影形状は台形状である。
図６において、転動胴部の平面投影形状を網掛けで示す（以下、他の図についても同様に、網掛けは、平面投影形状を表す）。また、第１切断線及び第２切断線のそれぞれの囲繞領域を、無数のドットで示す。
【００３４】
前記第１切断線５は、転動軸Ｌを基準にして、台紙２の幅方向の一方側（第１側）の領域に設けられ、第２切断線６は、台紙２の幅方向の他方側（第２側）の領域に設けられている。第１切断線５と第２切断線６は、互いに独立している。
【００３５】
第１切断線５の一端部５ａ及び他端部５ｂは、幅方向の第１側において転動軸Ｌの近傍に配置されている。
第１切断線５は、その一端部５ａから台紙２の一方側縁に向かって幅方向に延びる第１下横線５１と、その他端部５ｂから台紙２の一方側縁に向かって幅方向に延びる第１上横線５２と、その第１下横線５１と第１上横線５２の端部間を連結する第１縦線５３と、から構成されている。第１下横線５１、第１上横線５２及び第１縦線５３は、いずれも直線状に形成されている。
従って、第１切断線５は、幅方向の第１側において、台紙２の一方側縁側に膨らんだ平面視略逆コの状（図２及び図６のように、台紙２の裏面側から見た平面視形状）となっている。
【００３６】
第１切断線５は、転動胴部の平面投影形状の、転動軸方向一方側の辺Ｘに沿っている部分を有していてもよいが、開封後に易転動物品３１を取り出し易くなることから、図６に示すように、第１切断線５は、転動胴部の平面投影形状の転動軸方向一方側の辺Ｘの外近傍に沿っている部分を有することが好ましい。
前記平面投影形状の転動軸方向一方側の辺Ｘは、転動胴部の底面３１ｂに対応している。また、前記平面投影形状の転動軸方向他方側の辺Ｙは、転動胴部の天面３１ａに対応している。以下、平面投影形状の転動軸方向一方側の辺Ｘを、「平面投影形状の一方辺」といい、平面投影形状の転動軸方向他方側の辺Ｙを、「平面投影形状の他方辺」という。
【００３７】
第２切断線６の一端部６ａ及び他端部６ｂは、幅方向の第２側において転動軸Ｌの近傍に配置されている。
第２切断線６は、その一端部６ａから台紙２の他方側縁に向かって幅方向に延びる第２下横線６１と、その他端部６ｂから台紙２の他方側縁に向かって幅方向に延びる第２上横線６２と、その第２下横線６１と第２上横線６２の端部間を連結する第２縦線６３と、から構成されている。第２下横線６１、第２上横線６２及び第２縦線６３は、いずれも直線状に形成されている。
従って、第２切断線６は、幅方向の第２側において、台紙２の他方側縁側に膨らんだ平面視略コの状（図２及び図６のように、台紙２の裏面側から見た平面視形状）となっている。
【００３８】
第２切断線６は、平面投影形状の一方辺Ｘに沿っている部分を有していてもよいが、開封後に易転動物品３１を取り出し易くなることから、第２切断線６は、平面投影形状の一方辺Ｘの外近傍に沿っている部分を有することが好ましい。
【００３９】
第１切断線５の第１下横線５１及び第２切断線６の第２下横線６１の一部又は全部が平面投影形状の一方辺Ｘから離反している場合（つまり、第１切断線５及び第２切断線６が平面投影形状の一方辺Ｘの外近傍に沿っている場合）、第１切断線５の第１下横線５１と平面投影形状一方辺Ｘとの間隔Ｈ１、及び、第２切断線６の第２下横線６１と平面投影形状の一方辺Ｘとの間隔Ｈ２は、適宜設定できる。
【００４０】
後述するように、開封時に被包装物の縁が台紙２の破断縁に引っ掛かり難くするために、前記間隔Ｈ１，Ｈ２は、下記式を満たすことが好ましい。
式：間隔Ｈ１，Ｈ２≧（ａ２＋ｂ２）１／２−ａ
前記間隔Ｈ１，Ｈ２の単位は、ｍｍである。前記ａは、図５に示すように、第２切断線６の第２上横線６２から易転動物品３１の底面３１ｂまでの直線長さ（ｍｍ）を表し、前記ｂは、易転動物品３１の底面３１ｂの直径（ｍｍ）を表す。
もっとも、第１切断線５の第１下横線５１及び第２切断線６の第２下横線６１が、平面投影形状の一方辺Ｘから余りに離れ過ぎていると、第１下横線５１と第２下横線６１の間を切断し難くなるので、（ａ２＋ｂ２）１／２−ａ≦間隔≦（ａ２＋ｂ２）１／２−ａ＋３、を満たすことがより好ましい。
【００４１】
第１切断線５の第１下横線５１と第２切断線６の第２下横線６１は、直線上に並んでいることが好ましい（つまり、前記間隔Ｈ１と間隔Ｈ２が等しいことが好ましい）。
本実施形態では、第１切断線５の第１下横線５１と第２切断線６の第２下横線６１、及び、第１切断線５の第１上横線５２と第２切断線６の第２上横線６２は、それぞれ直線上に並んでいる。
さらに、本実施形態では、第１切断線５と第２切断線６は、転動軸Ｌに対して線対称の関係で形成されている。線対称の関係で形成されていることにより、スキンパック包装体１の製造時に、易転動物品３１を確実に保持できる。
【００４２】
第１切断線５の一端部５ａと第２切断線６の一端部６ａ、及び、第１切断線５の他端部５ｂと第２切断線６の他端部６ｂは、離れている。換言すると、第１切断線５の一端部５ａと第２切断線６の一端部６ａの間、及び、第１切断線５の他端部５ｂと第２切断線６の他端部６ｂに間には、それぞれ非切断部２１，２２（一方の非切断部２１及び他方の非切断部２２）が存在している。
第１切断線５の一端部５ａと第２切断線６の一端部６ａの間隔Ｗ１（一方の非切断部２１の幅方向長さ）、及び、第１切断線５の他端部５ｂと第２切断線６の他端部６ｂの間隔Ｗ２（他方の非切断部２２の幅方向長さ）は、特に限定されない。
【００４３】
もっとも、前記間隔Ｗ１，Ｗ２が余りに短いと、スキンパック包装体１を搬送している間に、第１切断線５と第２切断線６が不用意に繋がってしまい、保持した被包装物（易転動物品３１）が脱落するおそれがある。このような観点から、前記間隔Ｗ１，Ｗ２は、２ｍｍ以上が好ましく、４ｍｍ以上がより好ましい。
他方、前記間隔Ｗ１，Ｗ２が余りに長いと、スキンパック包装体１の開封性が低下するおそれがある。このような観点から、前記間隔Ｗ１，Ｗ２は、７ｍｍ以下が好ましく、６ｍｍ以下がより好ましい。
【００４４】
特に、転動胴部の平面投影形状の転動軸方向一方側の辺Ｘの外近傍に沿っている部分である、第１切断線５の一端部５ａと第２切断線６の一端部６ａの間隔Ｗ１は、７ｍｍ以下が好ましく、６ｍｍ以下がより好ましい。後述するように、本発明のスキンパック包装体１は、一方の非切断部２１を破断すれば、容易に開封できるからである。
【００４５】
囲繞領域の一部が転動胴部の平面投影形状に重なるように、第１切断線５及び第２切断線６が形成されていることにより、後述するスキンパック包装体１の製造時に、囲繞領域を立ち上げて易転動物品３１の保持凹部を形成することができる。このように保持凹部を形成できるので、転がり易い易転動物品３１を所定位置に保持しつつスキンパック包装体１を容易に製造できる。
ただし、スキンパック包装体１においては、各囲繞領域は立ち上がっておらず、切断線５，６において切断端面同士は向かい合っている。つまり、スキンパック包装体１の台紙２は、少なくとも切断線５，６の周辺において平板状となっている。
【００４６】
さらに、台紙２の面内には、折り罫線７が形成されている。折り罫線７としては、従来公知の構成を採用でき、例えば、台紙２の厚み方向に押し込んだ押し線、台紙２の厚み方向に略Ｖ字状に切り込んだハーフカット線、又は、ミシン目線などが挙げられる。
折り罫線７として押し線又はハーフカット線を用いる場合、その折り罫線７は、台紙２の表面側から形成されていてもよいし、台紙２の裏面側から形成されていてもよい。
図示例では、折り罫線７は、台紙２の裏面側から形成されたハーフカット線からなる。
【００４７】
折り罫線７は、後述するスキンパック包装体１の製造時に、切断線５，６の両端部５ａ，５ｂ，６ａ，６ｂを結んだ線（仮想直線Ｍ）に従って台紙２を折り曲げて囲繞領域を立ち上げる際に、それを曲げやすくするために形成されている。
かかる目的の折り罫線７は、仮想直線Ｍ上に略沿って設けられる。略沿って設けられるとは、仮想直線Ｍ上に一致して折り罫線７が設けられる、又は、仮想直線Ｍの近傍にそれと平行に折り罫線７が設けられることを意味する。
折り罫線７が厳密に仮想直線Ｍ上に一致して設けられていない場合でも（つまり、折り罫線７が仮想直線Ｍの近傍に設けられている場合でも）、その折り罫線７を利用して、囲繞領域を容易に立ち上げることができる。
【００４８】
また、折り罫線７は、仮想直線Ｍと同じ長さ分だけ形成されていてもよいし、仮想直線Ｍの長さよりも短くてもよい。つまり、折り罫線７は、仮想直線Ｍ上の全部又は一部に略沿って設けられる。折り罫線７が仮想直線Ｍの全部に略沿って設けられていない場合でも（つまり、折り罫線７の長さが仮想直線Ｍよりも短い場合でも）、その折り罫線７を利用して、囲繞領域を容易に立ち上げることができる。
【００４９】
図示例では、第１切断線５に対する折り罫線７は、第１切断線５の仮想直線Ｍ上の一部の近傍に設けられている。第２切断線６に対する折り罫線７は、第２切断線６の仮想直線Ｍ上の一部の近傍に設けられている。
なお、本実施形態の第１切断線５と第２切断線６の形成間隔は短いので、第１切断線５と第２切断線６の中央部に１つの折り罫線７を形成し、その１つの折り罫線７が両者に兼用されている。
【００５０】
上記スキンパック包装体１は、被包装物（易転動物品３１）に通じる穴が台紙２に形成されていないので、スキンパックフィルム４と台紙２の間に保持された被包装物に異物などが付着し難い。
なお、本発明の台紙２の面内には、切断線５，６が形成されているが、切断線５，６の形成によって生じる対向した切断端面同士は接している又は近接している。このような切断端面間を通じて、スキンパックフィルム４と台紙２の間に異物が侵入する可能性は極めて低い。
このように本発明のスキンパック包装体１は、被包装物の封緘性に優れている。
【００５１】
本発明のスキンパック包装体１は、台紙２に切断線５，６が形成されているので、その切断線５，６から台紙２を破断することにより、容易に開封できる。
詳しくは、図７に示すように、易転動物品３１の底面３１ｂ近傍における転動胴部の縁部３１ｃを台紙２側に押し出し、前記転動胴部の反対縁部３１ｄにて台紙２の表面を押す。
本発明においては第１切断線５及び第２切断線６が平面投影形状の一方辺Ｘの外近傍に沿っている部分を有するので、転動胴部の反対縁部３１ｄにて台紙２の表面が押されると、第１切断線５の一端部５ａと第２切断線６の一端部６ａの間（一方の非切断部２１）に破断力が集中する。このため、前記一方の非切断部２１が容易に破断して、第１切断線５及び第２切断線６で囲われた範囲に開口部Ｚが生じ、スキンパック包装体１を開封できる。
【００５２】
さらに、易転動物品３１を押し続けると、開口部Ｚから易転動物品３１の転動胴部の底面３１ｂが出ていく。この際、易転動物品３１は、第１切断線５の他端部５ｂと第２切断線６の他端部６ｂの間（他方の非切断部２２）を概ね中心として回動する。
本発明においては、第１切断線５の第１下横線５１及び第２切断線６の第２下横線６１が平面投影形状の一方辺Ｘから離反しているので（つまり、一方の非切断部２１が平面投影形状の一方辺Ｘから離反しているので）、回動する易転動物品３１の転動胴部の縁部３１ｃが、一方の非切断部２１の切断により生じる破断縁２１ａに引っ掛かり難くなる。このため、開口部Ｚから易転動物品３１を比較的容易に取り出すことができる。
【００５３】
また、本発明の台紙２には、上記切断線５，６が形成されているので、スキンパック包装体１を製造する際に、易転動物品３１を台紙２の所定位置に保持できる。
詳しくは、下記のスキンパック包装体１の製造方法において説明するので、それを参照されたい。
【００５４】
［スキンパック包装体の製造方法］
本発明のスキンパック包装体は、例えば、次のようにして製造できる。
スキンパック包装体の製造方法は、両端部を有し且つその両端部から幅方向の一方側に膨らんだ平面視形状の２つの切断線が向かい合って形成された平板状の台紙を準備する準備工程と、この台紙を折り曲げることにより、２つの囲繞領域を上方に立ち上げて保持凹部を形成する曲げ工程と、前記保持凹部に易転動物品の転動胴部を載置して、易転動物品を台紙の所定位置に保持する載置工程と、前記易転動物品を含んで前記台紙の表面側に、スキンパックフィルムを被せるパック工程、前記台紙の裏面側から吸引することにより、台紙を略平板状に伸張させつつ前記スキンパックフィルムを台紙の表面に接着させる吸引工程と、を有する。
本発明のスキンパック包装体の製造方法は、これらの工程以外の工程を有していてもよい。
以下、比較的大きな形状の台紙及びスキンパックフィルムを用いて、同一のスキンパック包装体を、複数同時に製造する場合を例に採って説明する。
【００５５】
なお、同一のスキンパック包装体は、台紙に表示されたデザインに対する被包装物の保持位置が略同じスキンパック包装体を意味し、好ましくは、台紙の形状も略同じスキンパック包装体を意味する。
製造方法の説明において、方向性を示す用語として、「上」及び「下」を使用するが、「上」は、便宜上、台紙の裏面を平坦な水平面上に置いた状態を基準にして、その水平面から離れる側を指し、「下」は、その反対側を指す。
【００５６】
（台紙の準備工程）
製造時に使用される台紙は、通常、上記スキンパック包装体１に具備された台紙２よりも大きい。製造時の台紙は、スキンパック包装体１を複数切り出すことができる大きさに形成されている。
図８に示す台紙２Ｐからは、例えば、６つのスキンパック包装体１を得ることができる。つまり、図８に示す台紙２Ｐは、その平面で見て２行×３列＝６区画に、スキンパック包装体１を得ることができる。
この台紙２Ｐには、前記６区画に、それぞれ同じデザインが印刷表示されている。各区画のデザインは、それぞれ縦横に一定間隔を開けて規則的に印刷されている。台紙２Ｐの平面形状は特に限定されないが、通常、図示のように、矩形状の台紙２Ｐが用いられる。
【００５７】
この台紙２Ｐの面内に、両端部５ａ，５ｂ，６ａ，６ｂを有し且つその両端部５ａ，５ｂ，６ａ，６ｂから幅方向の第１側及び第２側に膨らんだ形状の、一対の切断線５，６（第１切断線５及び第２切断線６）を形成する。第１切断線５及び第２切断線６は、６区画の各デザインに対して特定の位置（各区画とも同一の位置）に形成する。
第１切断線５と第２切断線６の間に、折り罫線７を形成する。図示例においては、折り罫線７は、台紙２Ｐの表面側に形成されている。
【００５８】
（台紙の曲げ工程）
曲げ工程は、前記台紙２Ｐを曲げることにより、２つの囲繞領域を上方に立ち上げて保持凹部を形成する工程である。
前記折り罫線７を利用して、図９及び図１０に示すように、囲繞領域５Ａ，６Ａ（切断線５，６で囲われた領域）を上方に立ち上げる。
第１切断線５の囲繞領域５Ａと第２切断線６の囲繞領域６Ａを向かい合わせ立ち上げることにより、その間に易転動物品３１を保持する保持凹部８を形成できる。
【００５９】
第１切断線５の囲繞領域５Ａ及び第２切断線６の囲繞領域６Ａを、台紙２Ｐの表面に対して、鋭角に立ち上げることが好ましい。なお、台紙２Ｐの表面に対して鋭角に立ち上げるとは、台紙２Ｐの表面に対して鉛直方向から見て、囲繞領域５Ａ，６Ａの表面が見えるように立ち上げることをいう。
囲繞領域５Ａ，６Ａを台紙２Ｐに対して直角又は鈍角（鈍角は、台紙２Ｐの表面に対して鉛直方向から見て、囲繞領域５Ａ，６Ａの裏面が見えるように立ち上げる場合である）に立ち上げると、後述する吸引工程において、囲繞領域５Ａ，６Ａが元に戻らないおそれがある（つまり、台紙２Ｐが平板状に復元しないおそれがある）。
【００６０】
立ち上げた囲繞領域５Ａ，６Ａの、台紙２Ｐの表面に対する角度は、鋭角であれば特に限定されないが、好ましくは、１０度〜８０度であり、２０度〜７０度である。
【００６１】
（被包装物の載置工程）
載置工程は、前記保持凹部８に易転動物品３１の転動胴部を載置して、易転動物品３１を台紙２Ｐの所定位置に保持する工程である。
図１１及び図１２に示すように、前記各保持凹部８内の所定位置に、易転動物品３１を入れていく。
１つのスキンパック包装体１に１つの被包装物を具備させる場合には、各保持凹部８に１つの易転動物品３１を載置する。
【００６２】
保持凹部８内に易転動物品３１を載置すると、図１２に示すように、２つの囲繞領域５Ａ，６Ａの表面に易転動物品３１の転動周面が接する。比較的肉厚の薄い台紙２Ｐを用いた場合には、易転動物品３１の自重により、傾斜状に立ち上げた囲繞領域５Ａ，６Ａが外側に膨らむこともあるが、特に問題はない。
易転動物品３１が向かい合った２つの囲繞領域５Ａ，６Ａに接することにより、易転動物品３１は、外側に転がることなく、保持凹部８の所定位置から動かない。
【００６３】
（スキンパックフィルムのパック工程）
パック工程は、易転動物品３１が載置された台紙２Ｐの表面側に、その易転動物品３１を含んで、スキンパックフィルムを被せる工程である。
スキンパックフィルム４Ｐは、折り曲げ前の平板状の台紙２Ｐよりも大きいものが用いられる。図示例では、平板状の台紙２Ｐよりも大きく且つ台紙２Ｐと相似形のスキンパックフィルム４Ｐを用いた場合を例示している。
【００６４】
通常、柔軟なスキンパックフィルム４Ｐを搬送するために、図１３に示すように、スキンパックフィルム４Ｐの周囲には、着脱自在な保持枠９９が取り付けられている。
この保持枠９９は、上下一対の枠体（上枠９９１及び下枠９９２）からなり、上枠９９１及び下枠９９２は、中抜き矩形状（額縁状）となっている。上枠９９１及び下枠９９２は、通気性のない部材から形成され、例えば、金属、合成樹脂などから形成される。
上枠９９１と下枠９９２の間にスキンパックフィルム４Ｐの周縁部を挟み込み、上枠９９１と下枠９９２が離反しないように固定することにより、スキンパックフィルム４Ｐの周囲が保持によって保持されている。
【００６５】
前記スキンパックフィルム４Ｐを加熱して軟化させる。
例えば、前記保持枠９９にてスキンパックフィルム４Ｐを保持した状態で、遠赤外線ヒータなどの加熱装置を用いて、スキンパックフィルム４Ｐの表面若しくは裏面又は両面側からこれを加熱し、スキンパックフィルム４Ｐを軟化させる。
【００６６】
その軟化させたスキンパックフィルム４Ｐを保持枠９９と共に下方に移動させ、スキンパックフィルム４Ｐを台紙２Ｐの表面に被せる。
なお、加熱しなくても十分に軟らかいスキンパックフィルム４Ｐを用いる場合には、加熱処理を行わずに、そのスキンパックフィルム４Ｐをそのまま台紙２Ｐの上に被せればよい。
【００６７】
図１４及び図１５は、軟化させたスキンパックフィルム４Ｐを前記被包装物を覆うようにして台紙２Ｐの表面側に被せた後の状態を示している。なお、図１５の断面図において、スキンパックフィルム４Ｐの厚みを表さず、単なる実線で示している（図１６も同様）。
【００６８】
前記易転動物品３１を載置した台紙２Ｐは、図１５に示すように、吸引台９の表面に載置されている。なお、易転動物品３１を載置した後に台紙２Ｐを吸引台９の表面に移送してもよいが、移送中に易転動物品３１が所定位置からずれるおそれがあるので、前記被包装物の載置工程時に、予め台紙２Ｐを吸引台９の表面上に載置しておくことが好ましい。
【００６９】
吸引台９は、台本体９１と、この台本体９１内に形成された閉鎖空間９２（空洞部）と、この台本体９１の表面に形成され且つ閉鎖空間９２に連通された複数の吸気孔９３と、閉鎖空間９２と外部を連通する連通路９４と、を有する。連通路９４に、吸引装置に繋がる吸引管（図示せず）が接続される。
吸引台９の表面は、平坦状とされている。
【００７０】
吸気孔９３の大きさは特に限定されないが、例えば、直径０．１ｍｍ〜２ｍｍ程度の円形が挙げられる。
吸気孔９３の数についても適宜設定できる。好ましくは、複数の吸気孔９３は、０．１ｍｍ〜５ｍｍの間隔を開けて形成され、より好ましくは等間隔に形成される。
また、後述するように吸引台９の表面には保持枠９９の下枠９９２が密着するが、全ての吸気孔９３にて台紙２Ｐを吸引するために、各吸気孔９３は、その下枠９９２よりも外側に形成されていないことが好ましい。
【００７１】
（スキンパックフィルムの吸引工程）
吸引工程は、台紙２Ｐの裏面側からスキンパックフィルム４Ｐを吸引することにより、前記台紙２Ｐを囲繞領域５Ａ，６Ａを元に戻しつつスキンパックフィルム４Ｐを台紙２Ｐの表面に接着させる工程である。
上記のように、スキンパックフィルム４Ｐが被せられた台紙２Ｐは、複数の吸気孔９３を有する吸引台９の表面に置かれている。
なお、スキンパックフィルム４Ｐを台紙２Ｐに被せるときには、前記吸引台９上に台紙２Ｐを置かず、スキンパックフィルム４Ｐを台紙２Ｐに被せた後、それを前記吸引台９の表面上に移送してもよいが、その移送中に易転動物品３１が所定位置からずれるおそれがあるので、吸引工程より前の工程の時点で台紙２Ｐを吸引台９の表面上に載置しておくことが好ましい。
【００７２】
そして、吸引装置（図示せず）を作動させ、台紙２Ｐを真空吸引する。すると、台紙２Ｐとスキンパックフィルム４Ｐの間の空気が台紙２Ｐを透過し、その空気が、吸気孔９３から、閉鎖空間９２、連通路９４を通じて吸引装置に吸引される。
空気の吸引方向を、図１５の白抜き矢印で示す。空気の吸引により、スキンパックフィルム４Ｐと吸引台９の間の空気が吸引台９の下方に移動し、台紙２Ｐ及びスキンパックフィルム４Ｐが吸引台９の表面に引き寄せられる。この際、台紙２Ｐとスキンパックフィルム４Ｐの間の空気も、台紙２Ｐを透過して吸引台９の下方に移動する。
なお、スキンパックフィルム４Ｐの周囲を保持する保持枠９９が吸引台９の表面に気密的に接しているので、スキンパックフィルム４Ｐの周辺と吸引台９の表面との間から空気が引き抜かれることはない。
【００７３】
前記吸引力により、台紙２Ｐが吸引台９の表面に引き寄せられると共に、台紙２Ｐの表面に密着しようとするスキンパックフィルム４Ｐによって囲繞領域５Ａ，６Ａが下方に押され、保持凹部８が消失していく（保持凹部８が平坦状になっていく）。スキンパックフィルム４Ｐの伸展に従い、傾斜していた２つの囲繞領域５Ａ，６Ａが互いに離反するように回動して囲繞領域５Ａ，６Ａの周縁が台紙２Ｐ内に入ることにより、台紙２Ｐは折り曲げ前の平板状に復元する（図１６参照）。
そして、易転動物品３１を挟んで、その平板状になった台紙２Ｐの表面にスキンパックフィルム４Ｐが密着することにより、複数のスキンパック包装体１が連なった連続体が得られる。
【００７４】
（仕上げ工程）
仕上げ工程は、個々のスキンパック包装体１を得る工程である。
本実施形態においては、６つのスキンパック包装体１を得ることができる大きさの台紙２Ｐ及びスキンパックフィルム４Ｐを用いている。前記吸引工程で得られた連続体１０を保持枠９９から外し、図１７に示すように、個々のスキンパック包装体１の外形に沿って切り取る。その切り取り線Ｄを、図１７の細点線で示す。
【００７５】
切り取りは、打ち抜きダイを用いた打ち抜き、カッターなどを用いた切断などで行うことができる。
このようにして易転動物品３１が所定位置に包装された、同一のスキンパック包装体１を複数（例えば、６つ）同時に得ることができる。
必要に応じて、スキンパック包装体１に吊下げ用の孔を穿設してもよい（図示せず）。
【００７６】
本発明のスキンパック包装体１は、台紙２Ｐに切断線５，６が形成されているので、上記のような製造方法によって製造できる。
かかる製造方法によれば、保持凹部８に載置した易転動物品３１が不用意に動かないので、スキンパックフィルム４Ｐを被せて包装する際、易転動物品３１が所定位置からずれ難くなる。このため、被包装物が台紙の所定位置に保持されたスキンパック包装体１を得ることができる。
【００７７】
また、単に、囲繞領域５Ａ，６Ａを折り曲げて保持凹部８を形成し、その保持凹部８に易転動物品３１を入れるだけで、易転動物品３１を位置決めできるので、既存の設備でスキンパック包装体１を簡易に行うことができる。
よって、比較的安価にスキンパック包装体１を製造できる。
【００７８】
次に、本発明のスキンパック包装体の他の実施形態を説明する。以下の様々な実施形態の説明において、上記第１実施形態と同様の構成及び効果については（その説明をしたものみなして）その説明を省略し、用語及び符号を援用する場合がある。
【００７９】
［第２実施形態のスキンパック包装体］
第２実施形態のスキンパック包装体は、第１切断線５及び第２切断線６の膨らむ向きが上記第１実施形態と反対である。
具体的には、図１８に示すように、第１切断線５は、台紙２の幅方向の一方側（第１側）に配置され、第２切断線６は、台紙２の幅方向の他方側（第２側）に配置されている。
第１切断線５は、その一端部５ａから台紙２の他方側縁に向かって幅方向に延びる第１下横線５１と、その他端部５ｂから台紙２の他方側縁に向かって幅方向に延びる第１上横線５２と、その第１下横線５１と第１上横線５２の端部間を連結する第１縦線５３と、から構成されている。
従って、第１切断線５は、幅方向の第１側において、台紙２の他方側縁側に膨らんだ平面視略コの状（図１８のように、台紙２の裏面側から見た平面視形状）となっている。
【００８０】
第２切断線６は、その一端部６ａから台紙２の一方側縁に向かって幅方向に延びる第２下横線６１と、その他端部６ｂから台紙２の一方側縁に向かって幅方向に延びる第２上横線６２と、その第２下横線６１と第２上横線６２の端部間を連結する第２縦線６３と、から構成されている。
従って、第２切断線６は、幅方向の第２側において、台紙２の一方側縁側に膨らんだ平面視略逆コの状（図１８のように、台紙２の裏面側から見た平面視形状）となっている。
【００８１】
第１切断線５の第１縦線５３と第２切断線６の第２縦線６３は、転動軸Ｌを挟んで離れている。換言すると、第１切断線５の第１縦線５３と第２切断線６の第２縦線６３の間には、非切断部が存在している。
第１切断線５の第１縦線５３と第２切断線６の第２縦線６３の間隔Ｗ３は、特に限定されないが、上記第１実施形態の間隔Ｗ１と同様の理由から、３ｍｍ以上が好ましく、４ｍｍ以上がより好ましい。また、前記間隔Ｗ３は、７ｍｍ以下が好ましく、６ｍｍ以下がより好ましい。
【００８２】
第２実施形態において、第１切断線５の囲繞領域及び第２切断線６の囲繞領域が、平面投影形状の重なること、第１切断線５及び第２切断線６が転動軸Ｌに対して線対称であること、第１切断線５及び第２切断線６が、平面投影形状の一方辺Ｘに沿う部分又はその一方辺Ｘの外近傍に沿う部分を有することなどは、上記第１実施形態と同様である。
【００８３】
第２実施形態のスキンパック包装体も第１実施形態と同様に、第１切断線５及び第２切断線６の囲繞領域を立ち上げて保持凹部を形成し、その保持凹部に易転動物品３１を保持させつつスキンパックフィルムを被せ且つ吸引することによって製造できる。
簡単に説明すると、第２実施形態の場合には、図１９に示すように、囲繞領域５Ａの先端縁及び囲繞領域６Ａの先端縁が易転動物品３１の転動周面に当たるように、第１切断線５の囲繞領域５Ａ及び第２切断線６の囲繞領域６Ａを鋭角傾斜状に立ち上げ、保持凹部８に易転動物品３１を載置することにより、易転動物品３１を保持できる。事後、上記第１実施形態と同様に、スキンパックフィルムを被せ、台紙２の裏面側から吸引することにより、易転動物品１が所定位置に保持されたスキンパック包装体が得られる。
【００８４】
なお、図１８に示す例では、第１切断線５と第２切断線６は離反しているが、例えば、図２０に示すように、第１切断線５と第２切断線６の膨らんだ部分（第１縦線５３と第２縦線６３）が一体化されていてもよい。
この場合、一体化された部分は、切断線が兼用される。つまり、図示例では、第１切断線５の第１縦線５３と第２切断線６の第２縦線６３が兼用されている。
【００８５】
図２０に示すスキンパック包装体も上記同様に、図２１に示すように、囲繞領域５Ａの先端縁及び囲繞領域６Ａを鋭角傾斜状に立ち上げ、囲繞領域５Ａの先端縁及び囲繞領域６Ａの先端縁に易転動物品３１の転動周面に当たるように意１を載置することにより、保持凹部８に易転動物品３１を保持できる。
【００８６】
［第３実施形態のスキンパック包装体］
第３実施形態のスキンパック包装体は、第１切断線５及び第２切断線６が同じ方向に膨らんでいる。
具体的には、図２２に示すように、第１切断線５は、台紙２の幅方向の一方側（第１側）に配置され、第２切断線６は、台紙２の幅方向の他方側（第２側）に配置されている。
第１切断線５は、その一端部５ａから台紙２の一方側縁に向かって幅方向に延びる第１下横線５１と、その他端部５ｂから台紙２の一方側縁に向かって幅方向に延びる第１上横線５２と、その第１下横線５１と第１上横線５２の端部間を連結する第１縦線５３と、から構成されている。
従って、第１切断線５は、幅方向の第１側において、台紙２の一方側縁側に膨らんだ平面視略逆コの状（図２２のように、台紙２の裏面側から見た平面視形状）となっている。
【００８７】
第２切断線６は、上記第２実施形態と同様に、幅方向の第２側において、台紙２の一方側縁側に膨らんだ平面視略逆コの状となっている。
【００８８】
第１切断線５の第１縦線５３と第２切断線６の第２縦線６３は、転動軸Ｌを挟んで離れている。換言すると、第１切断線５の第１縦線５３と第２切断線６の第２縦線６３の間には、非切断部が存在している。
第１切断線５の一端部５ａと第２切断線６の第２縦線６３の間隔Ｗ４は、特に限定されないが、上記第１実施形態の間隔Ｗ１と同様の理由から、３ｍｍ以上が好ましく、４ｍｍ以上がより好ましい。また、前記間隔Ｗ４は、７ｍｍ以下が好ましく、６ｍｍ以下がより好ましい。
【００８９】
第３実施形態において、第１切断線５の囲繞領域及び第２切断線６の囲繞領域が、平面投影形状の重なること、第１切断線５及び第２切断線６が、平面投影形状の一方辺Ｘに沿う部分又はその一方辺Ｘの外近傍に沿う部分を有することなどは、上記第１実施形態と同様である。
【００９０】
第３実施形態のスキンパック包装体も第１実施形態と同様に、第１切断線５及び第２切断線６の囲繞領域を立ち上げて保持凹部を形成し、その保持凹部に易転動物品３１を保持させつつスキンパックフィルムを被せ且つ吸引することによって製造できる。
簡単に説明すると、第３実施形態の場合には、図２３に示すように、囲繞領域５Ａの先端縁及び囲繞領域６Ａの表面が易転動物品３１の転動周面に当たるように、第１切断線５の囲繞領域５Ａ及び第２切断線６の囲繞領域６Ａを鋭角傾斜状に立ち上げ、保持凹部８に易転動物品３１を載置することにより、易転動物品３１を保持できる。
【００９１】
［第４実施形態のスキンパック包装体］
上記第１乃至第３実施形態では、台紙２に平面視略コの字状の切断線５，６が形成されているが、本発明のスキンパック包装体の切断線は、かかる形状に限定されず、本発明の意図する範囲で様々に設計変更できる。
【００９２】
例えば、図２４（ａ）に示すように、第１切断線５の第１下横線５１及び第１上横線５２、並びに、第２切断線６の第２下横線６１及び第２上横線６２が、転動軸Ｌに対して傾斜状に形成されている態様、図２４（ｂ）に示すように、第１切断線５の第１上横線５２、及び、第２切断線６の第２上横線６２が、転動軸Ｌに対して傾斜状に形成されている態様、図２４（ｃ）に示すように、第１切断線５及び第２切断線６が、全体的に円弧状に形成されている態様、図２４（ｄ）に示すように、（第１上横線及び第２上横線を有さず）第１切断線５の第１縦線５３及び第２切断線６の第２縦線６３が、転動軸Ｌに対して傾斜状に形成されている態様、などに変更してもよい。
さらに、第１切断線５の平面視形状と第２切断線６の平面視形状とが全く異なっていてもよい。切断線５，６が互いに異なる形状としては、例えば、第１切断線５を図２４（ｃ）に示すような円弧状に形成し、且つ、第２切断線６を図２４（ｄ）に示すような傾斜角状に形成する場合、第１切断線５及び第２切断線６は何れも平面視略コの字状であるが、第１切断線５の方が第２切断線６よりも上下方向に長く形成されている場合などが挙げられる。
なお、図２４では、切断線の一端部同士が転動軸Ｌを挟んで向かい合った態様（第１実施形態のもの）を図示しているが、図２４に示した切断線の平面視形状を第２及び第３実施形態にそのまま適用できる。
【００９３】
［第５実施形態のスキンパック包装体］
上記第１乃至第３実施形態では、第１切断線５の第１上横線５２及び第２切断線６の第２上横線６２が、平面投影形状の他方辺Ｙよりも転動軸方向一方側に配置されているが、これに限定されず、第１切断線５及び第２切断線６が、平面投影形状の他方辺Ｙに沿う部分又は他方辺Ｙの外近傍に沿う部分を有していてもよい（図示せず）。
【００９４】
また、上記第１乃至第３実施形態では、第１切断線５及び第２切断線６が、平面投影形状の一方辺Ｘに沿う部分又は一方辺Ｘの外近傍に沿う部分を有しているが、第１切断線５及び第２切断線６が平面投影形状の一方辺Ｘに沿う部分又は一方辺Ｘの外近傍に沿う部分を有さなくてもよい。
例えば、図２５（ａ）に示すように、第１切断線５の第１下横線５１及び第２切断線６の第２下横線６１が、平面投影形状の一方辺Ｘよりも転動軸方向他方側に配置されていてもよい。
【００９５】
上記第１及び第２実施形態では、第１切断線５と第２切断線６は転動軸Ｌに対して線対称の関係で形成されているが、これらが非対称に形成されていてもよい。
例えば、図２５（ｂ）に示すように、同様な形状の第１切断線５と第２切断線６であって、第２切断線６が、第１切断線５よりも転動軸方向一方側にずれて配置されていてもよい。
【００９６】
また、転動軸Ｌを挟んで第１側に形成される第１切断線５と第２側に形成される第２切断線６が、転動軸Ｌに対して非対称の関係で形成される場合、例えば、図２４（ｃ）に示すように、第１切断線５と第２切断線６が幅方向において重ならないように形成することも可能である。もっとも、第１切断線５と第２切断線６が幅方向において重ならないように配置されていると、上述の製法のように、第１切断線５の囲繞領域５Ａと第２切断線６の囲繞領域６Ａを立ち上げた際、その２つの囲繞領域５Ａ，６Ａが易転動物品３１を挟んで向かい合う部分を有さなくなる。この場合、立ち上げた囲繞領域５Ａ，６Ａにより保持された易転動物品３１が不用意に動く可能性があるので、第１切断線５と第２切断線６は、その全体又は一部分が台紙２の幅方向において重なっていることが好ましい。
【００９７】
また、上記第１乃至第３実施形態では、第１切断線５は、台紙２の幅方向の第１側に１つだけ形成され、第２切断線６は、台紙２の幅方向の第２側に１つだけ形成されているが、少なくとも何れか一方の切断線が複数形成されていてもよい。
例えば、図２５（ｄ）に示すように、台紙２の第１側に複数（図示例では２つ）の第１切断線５が形成され、台紙２の第２側に複数（図示例では２つ）の第２切断線６が形成されていてもよい。
【００９８】
なお、第５実施形態においても、その切断線の平面視形状は、第４実施形態で示したように、様々な態様に変更可能である。
【００９９】
［第６実施形態のスキンパック包装体］
第６実施形態のスキンパック包装体は、易転動物品と難転動物品を包装するものである。
具体的には、図２６乃至図２８に示すように、スキンパック包装体１は、平板状の台紙２と、少なくとも２つの被包装物と、スキンパックフィルム４と、を有し、前記被包装物が、転動胴部を有する易転動物品３１と難転動物品３２とを含んでいる。
易転動物品３１は、上述のように、水平面に対して転動し得る転動胴部を有する物品である。
【０１００】
難転動物品３２は、水平面に対して転動しにくい物品である。難転動物品３２は、例えば、平坦面を有するアクリル板を水平面に対して１０度傾けて配置し、この傾斜したアクリル板の平坦面の傾斜上側から傾斜下側に転動しない又は回転しても１周未満であり、実質的に転動しない物品をいう。
このような難転動物品３２としては、三角柱状、四角柱状、六角柱状などの外形を有する物品；円柱状の胴部の一部分から径外方向に突起部が突設された物品；その他、断面非円形の胴部を有する物品、円柱状などの胴部の外面に高摩擦領域が設けられた物品；円柱状などの胴部を有するが重心がその円の中心に存在せずに径外方向に偏っている物品；などが例示できる。
難転動物品３２は、代表的には、それを水平面に載せて強制的に転がしたときに、回転軸と水平面の長さが移動方向において異なる物品が挙げられる。
なお、図示例の易転動物品は、円柱状の転動胴部からなり、難転動物品は、四角柱状からなる。
【０１０１】
台紙２の表面において、易転動物品３１と難転動物品３２は、幅方向（転動軸Ｌに略直交する方向）に並んで配置され、易転動物品３１の転動胴部に難転動物品３２の１つの面が接している。
難転動物品３２は、第１側（台紙２の幅方向の一方側）に配置され、易転動物品３１は、第２側（台紙２の幅方向の他方側）に配置されている。
【０１０２】
台紙２には、切断線５３が形成されている。以下、第６実施形態の切断線を、「第３切断線」という。
第３切断線５３は、両端部５３ａ，５３ｂを有し、幅方向の何れか一方側に膨らんだ平面視形状を有する。
図示例では、第３切断線５３は、その一端部５３ａから台紙２の他方側縁に向かって幅方向に延びる第３下横線５３１と、その他端部５３ｂから台紙２の他方側縁に向かって幅方向に延びる第３上横線５３２と、その第３下横線５３１と第３上横線５３２の端部間を連結する第３縦線５３３と、から構成されている。
従って、第３切断線５３は、幅方向の第２側において、台紙２の他方側縁側に膨らんだ平面視略コの状（図２７のように、台紙２の裏面側から見た平面視形状）となっている。
【０１０３】
第３切断線５３は、転動軸Ｌを基準にして幅方向の第２側に配置されている。つまり、第３切断線５３は、難転動物品３２から所定間隔を開け且つ難転動物品３２と反対側に配置されている。
第３切断線５３についても、第１切断線５及び第２切断線６と同様に、第３切断線５３の両端部５３ａ，５３ｂを結んだ仮想直線（図示せず）と第３切断線５３とによって囲われる領域（囲繞領域）の全部又一部が転動胴部の平面投影形状に重なっている。
第３切断線５３は、平面投影形状の一方辺Ｘに沿う部分又はその辺Ｘの外近傍に延びる部分を有する。
なお、図示例は、第３切断線５３の囲繞領域の一部が平面投影形状に重なるように形成された第３切断線５３であって、平面投影形状の一方辺Ｘの外近傍に延びる部分を有する第３切断線５３が形成されている例である。
【０１０４】
台紙２の面内には、折り罫線７が形成されている。
この折り罫線７は、第３切断線５３の両端部５３ａ，５３ｂの間に設けられている。具体的には、折り罫線７は、第３切断線５３の両端部５３ａ，５３ｂを結んだ仮想直線上に一致して又はその近傍に平行に設けられている。折り罫線７は、仮想直線の長さよりも短くてもよい。
図示例では、第３切断線５３の折り罫線７は、第３切断線５３の仮想直線上に一致して、その直線の一部に設けられている。
【０１０５】
第６実施形態のスキンパック包装体１も、台紙２に第３切断線５３が形成されているので、その切断線５３から台紙２を破断することにより、容易に開封できる。その開封後、易転動物品３１及び難転動物品３２を取り出すことができる。
また、第６実施形態のスキンパック包装体１も、上記第３切断線５３が形成されているので、難転動物品３２と協働して易転動物品３１を台紙２の所定位置に保持できる。
【０１０６】
詳しくは、図２９に示すように、第６実施形態のスキンパック包装体１の製造時、台紙２Ｐに形成された第３切断線５３の囲繞領域５３Ａを鋭角傾斜状に立ち上げる。この囲繞領域５３Ａに易転動物品３１の幅方向一方側を当てつつ易転動物品３１を台紙２Ｐの表面に載置し、当該易転動物品３１の幅方向他方側に難転動物品３２を当てつつ難転動物品３２を台紙２Ｐの表面に載置する。
易転動物品３１は、転がりにくい難転動物品３２と立ち上げられた囲繞領域５３Ａとによって所定位置に保持される。事後、上記第１実施形態と同様に、スキンパックフィルムを被せ、台紙２の裏面側から吸引することにより、易転動物品１が所定位置に保持されたスキンパック包装体が得られる。
【０１０７】
なお、第６実施形態のスキンパック包装体１において、第３切断線５３の膨らむ向き、第３切断線５３の平面視形状、第３切断線５３の平面投影形状に対する配置、第３切断線５３の数などは、上記第１乃至第５実施形態で示した例を適用して、適宜変更することができる。
【０１０８】
［その他の実施形態］
上記第１乃至第５実施形態では、１つの易転動物品３１を包装したスキンパック包装体１を例示しているが、スキンパックフィルム４と台紙２の間に複数の易転動物品３１を包装することも可能である。
同様に、上記第６実施形態では、１つの易転動物品３１と１つの難転動物品３２を包装したスキンパック包装体１を例示しているが、複数の易転動物品３１と１つ若しくは複数の難転動物品３２、又は、１つの易転動物品３１と複数の難転動物品３２を包装することも可能である。
【符号の説明】
【０１０９】
１…スキンパック包装体、２，２Ｐ…台紙、３１…易転動物品、３２…難転動物品、４，４Ｐ…スキンパックフィルム、５…第１切断線、５ａ…第１切断線の一端部、５ｂ…第１切断線の他端部、６…第２切断線、６ａ…第２切断線の一端部、６ｂ…第２切断線の他端部、７…折り罫線、８…保持凹部、９…吸引台、Ｌ…転動胴部の転動軸、Ｍ…仮想直線、Ｘ…転動軸方向一方側の辺
【図１】
2014001000.tif 000003
【図２】
2014001000.tif 000004
【図３】
2014001000.tif 000005
【図４】
2014001000.tif 000006
【図５】
2014001000.tif 000007
【図６】
2014001000.tif 000008
【図７】
2014001000.tif 000009
【図８】
2014001000.tif 000010
【図９】
2014001000.tif 000011
【図１０】
2014001000.tif 000012
【図１１】
2014001000.tif 000013
【図１２】
2014001000.tif 000014
【図１３】
2014001000.tif 000015
【図１４】
2014001000.tif 000016
【図１５】
2014001000.tif 000017
【図１６】
2014001000.tif 000018
【図１７】
2014001000.tif 000019
【図１８】
2014001000.tif 000020
【図１９】
2014001000.tif 000021
【図２０】
2014001000.tif 000022
【図２１】
2014001000.tif 000023
【図２２】
2014001000.tif 000024
【図２３】
2014001000.tif 000025
【図２４】
2014001000.tif 000026
【図２５】
2014001000.tif 000027
【図２６】
2014001000.tif 000028
【図２７】
2014001000.tif 000029
【図２８】
2014001000.tif 000030
【図２９】
2014001000.tif 000031